(57)【要約】【課題】  第１鏡筒の偏心に因らず、より簡単な構成で第１鏡筒と第２鏡筒との間の隙間の遮光性を高める。【解決手段】  光軸方向に進退動作する第１鏡筒と、第１鏡筒の外側に配置される第２鏡筒６７と、第１鏡筒と第２鏡筒との間の隙間を塞ぐように設けられた遮光部材５１とを有するレンズ鏡筒であって、遮光部材は、第２鏡筒に設けられた係止部６７ａに対して係合可能とされた少なくとも１つ以上の係合部を有しており、第２鏡筒の先端部に配置され、光軸と直交する平面において移動可能に係合されている。【選択図】  図４
2014170060.tif 000002
【特許請求の範囲】
【請求項１】
光軸方向に進退動作する第１鏡筒と、
前記第１鏡筒の外側に配置される第２鏡筒と、
前記第１鏡筒と前記第２鏡筒との間の隙間を塞ぐように設けられた遮光部材とを有するレンズ鏡筒であって、
前記遮光部材は、前記第２鏡筒に設けられた係止部に対して係合可能とされた少なくとも１つ以上の係合部を有しており、前記第２鏡筒の先端部に配置され、光軸と直交する平面において移動可能に係合されることを特徴とするレンズ鏡筒。
【請求項２】
前記遮光部材は、前記第２鏡筒の先端部を覆う化粧部材と前記第２鏡筒の間の空間に配置されることを特徴とする請求項１に記載のレンズ鏡筒。
【請求項３】
前記第２鏡筒の係止部には、前記第２鏡筒の係止部から前記遮光部材の係合部が外れることを防止する係止爪が設けられていることを特徴とする請求項１又は２に記載のレンズ鏡筒。
【請求項４】
光軸と直交する平面における前記遮光部材の移動可能量は、前記第１鏡筒と前記第２鏡筒の間の偏心ガタ以上に設定されていることを特徴とする請求項１ないし３のいずれか１項に記載のレンズ鏡筒。
【請求項５】
請求項１ないし４のいずれか１項に記載のレンズ鏡筒を備えたことを特徴とする撮像装置。
【発明の詳細な説明】
【技術分野】
【０００１】
本発明は、隙間から透過する漏れ光線を遮断する遮光部材を有するレンズ鏡筒および撮像装置に関するものである。
【背景技術】
【０００２】
デジタルカメラ等の撮像装置のレンズを保持するユニット（以下、レンズ鏡筒とも称する）では、複数の構成部材が相対移動することによりズーム動作を行っている。
【０００３】
相対移動する部材間は適切な隙間を保ち、負荷なく滑らかに動作する様に構成されている。その隙間から外部の光線がレンズ鏡筒内部に進入する事（以下、光線漏れと称する）が避けられない。そこで従来より光線漏れを防ぐ為の遮光部材をレンズ鏡筒内部に配置することが多い。以下に従来技術について説明する。
【０００４】
たとえば、特許文献１ではリング状の遮光部材を、第１鏡筒（移動枠）と、第１鏡筒の外側に配置される第２鏡筒（固定枠）との隙間に配置し、前記隙間から進入する光線を遮光している。遮光部材は、光軸方向の幅よりも径方向の幅を大きくしたリング形状をしている。遮光部材は第１リングと第２リングが貼り合わされた構成となっており、第１リングはゴム等の弾性体であり、第２リングはプラスチック等の非弾性体である。また、第１リングの内周には、複数のスリットが全周に亘って配置されている。
【０００５】
遮光部材は遮光性を高めるために、第１鏡筒の外径に対して遮光部材の内径を圧入気味に設定させている。このため、レンズ鏡筒のズーム動作の際には、第１リングが第１鏡筒に擦りながらレンズ鏡筒は繰り出されたり収納されたりする。
【先行技術文献】
【特許文献】
【０００６】
【特許文献１】特開平６−２７３６５１号公報
【発明の概要】
【発明が解決しようとする課題】
【０００７】
上記従来のレンズ鏡筒は、第１鏡筒が進退動作をする際、遮光部材の第１リングに配置されたスリットから光が進入するという問題を有していた。これはレンズ鏡筒のズーム動作時に、第１リングが第１鏡筒に擦れながらレンズ鏡筒が進退動作をすることに起因する。第１リングはゴム等の弾性体からできているため、第１鏡筒に擦れると第１リングの形状が変形してしまう。この第１リングの変形に伴って第１リングに設けたスリットも変形してしまい、スリットの隙間が広がって光線漏れが生じてしまう。
【０００８】
第１鏡筒に対する遮光部材の圧入量を大きくすることで、スリットの隙間からの光線の進入を抑えることも可能であるが、第１鏡筒と遮光部材との間に大きな摺動摩擦力が発生してしまう。その結果、レンズ鏡筒の駆動源である電動モータに大きな負荷を与えてしまい、消費電力の増加を招いてしまう。さらに、遮光部材と第２鏡筒の摺動摩擦によって音が発生し、その音は摺動負荷の増加に比例するように大きくなり、雑音の発生原因となっていた。
【０００９】
また、遮光部材の固定方法として、従来から第２鏡筒に対して接着材や両面テープを用いて固定する方法が提案されている。しかし、第２鏡筒に対して遮光部材の貼り位置がずれたり、第１鏡筒が偏心してしまうと、遮光部材と第１鏡筒との間の隙間が不均一となってしまい、遮光性が損なわれてしまうことがある。
【００１０】
（発明の目的）
本発明の目的は、第１鏡筒の偏心に因らず、より簡単な構成で第１鏡筒と第２鏡筒との間の隙間の遮光性を高めることが可能なレンズ鏡筒および撮像装置を提供することである。
【課題を解決するための手段】
【００１１】
上記目的を達成するために、本発明のレンズ鏡筒は、光軸方向に進退動作する第１鏡筒と、前記第１鏡筒の外側に配置される第２鏡筒と、前記第１鏡筒と前記第２鏡筒との間の隙間を塞ぐように設けられた遮光部材とを有するレンズ鏡筒であって、前記遮光部材が、前記第２鏡筒に設けられた係止部に対して係合可能とされた少なくとも１つ以上の係合部を有しており、前記第２鏡筒の先端部に配置され、光軸と直交する平面において移動可能に係合されることを特徴とするものである。
【発明の効果】
【００１２】
本発明によれば、第１鏡筒の偏心に因らず、より簡単な構成で第１鏡筒と第２鏡筒との間の隙間の遮光性を高めることができる。
【図面の簡単な説明】
【００１３】
【図１】本発明の実施例であるレンズ鏡筒を示す断面図である。
【図２】実施例のレンズ鏡筒の分解斜視図である。
【図３】実施例の遮光部材を示す斜視図である。
【図４】実施例における遮光部材の保持箇所の拡大図である。
【発明を実施するための形態】
【００１４】
本発明を実施するための形態は、以下の実施例に記載される通りである。
【実施例】
【００１５】
以下、図１〜４を参照して、本発明の実施例であるレンズ鏡筒を説明する。このレンズ鏡筒は、デジタルカメラなどの撮像装置に着脱可能にあるいは一体的に装着されるものである。
【００１６】
図１において、１は第１のレンズ群を構成する光学レンズ、２は第２のレンズ群を構成する光学レンズ、３は第３のレンズ群を構成する光学レンズ、４は第４のレンズ群を構成する光学レンズを表している。なお、本実施例の光学系では第１のレンズ群１、第２のレンズ群２、第３のレンズ群３が倍率変化および像面補正を司り、第４のレンズ群４が焦点調節を行うフォーカスレンズである。
【００１７】
１１は第１のレンズ群１を保持する１群鏡筒、１２は１群鏡筒１１の全面を覆うバリアカバー、１３は撮影光路を覆う位置と退避位置との間で開閉するバリア羽根、１４はバリア羽根１３を駆動する駆動リング部材である。
【００１８】
２１は２群鏡筒、３１は３群鏡筒（図２）、３２はシャッターやＮＤから成る光量調節機構であり、駆動源により駆動される。３３は第３のレンズ群３および前記光量調節機構３２を保持する３群保持枠である。
【００１９】
５１は遮光部材である。６６は遮光部材５１の脱落を防止するためのリング形状をした化粧リング（図２を参照、図１では図示省略）、６１は内面、外面に配設したカム溝によって１群鏡筒１１、２群鏡筒２１および３群鏡筒３１を保持しつつ光軸方向に移動せしめるカム筒である。１群鏡筒１１の内側に配設される直進筒６２はカム筒６１に対して回転自在で、かつ、直進プレート６５に回転規制されており、１群鏡筒１１、２群鏡筒２１および３群鏡筒３１の回転を規制し、光軸方向へ進退移動させる。化粧リング６６が遮光部材５１の化粧部材を構成する。
【００２０】
６３はカム筒６１の外周に配置されて、カム筒６１とのバヨネット結合によりカム筒６１と回転方向に保持されるカムカバー筒である。また、直進プレート６５に回転規制されるとともに、後述する回転筒６４に配設されたカム溝とピン係合することにより光軸方向に進退動作する。６４は、直進プレート６５の外周部とバヨネット結合するとともに、後述する固定筒６７に設けられたカム溝とピン係合する回転筒である。回転筒６４が第１鏡筒を構成する。また、外周部には後述する不図示のギア列からの駆動を伝達するためのギアが設けられている。
【００２１】
回転筒６４の外側には固定筒６７が配置される。内周面に配設されたキー溝に直進プレート６５の直進キーが嵌合することによって直進プレート６５を回転規制し、かつ、内周面に配設されたカム溝に回転筒６４のカムピンが係合することによって回転筒６４を保持しつつ光軸方向に移動させる。固定筒６７が第２鏡筒を構成する。
【００２２】
４３はフォーカスレンズを保持する４群保持枠４２を光軸方向に移動させるためのフォーカスモータ、４４はフォーカスモータ４３の回転軸に設けられたネジ部と螺合する送りナットである。ここで４群保持枠４２はメインガイド軸４５、サブガイド軸４６により光軸方向に移動可能に保持されている。７５はズームモータである。
【００２３】
以上のような構成のレンズ鏡筒において、沈胴状態から撮影状態に移行する時のズーム動作について説明する。
【００２４】
説明を容易にするためズーム動作に関わる鏡筒構成を図２の斜視図を用いて説明する。
【００２５】
ズームモータ７５に電力が供給されると、不図示のズームギア列、回転筒６４のギアを介して、回転筒６４に動力が伝達される。固定筒６７の内周には光軸方向と平行なガイド溝が設けられていて、ガイド溝には直進プレート６５の直進キーが摺動可能に嵌合している。一方、回転筒６４の外周には円錐形状のカムピンがあり、固定筒６７内周のカム溝と摺動可能に係合している。以上により、回転筒６４に動力が伝達されると光軸を中心軸として回転しながら、固定筒６７のカム溝に倣って光軸方向に進退移動することになる。
【００２６】
カムカバー筒６３のカムピンは回転筒６４の内周のカム溝と摺動可能に係合しており、直進プレート６５により回転が規制されている。また、カム筒６１は回転筒６４とバヨネット結合により回転可能に保持されるとともに光軸方向へは一体となって進退動作する。これにより回転筒６４が回動すると、カム筒６１は光軸方向へ回転しながら繰り出される。
【００２７】
直進筒６２は、バヨネット結合によりカム筒６１に相対的に回転可能な状態で保持されており、また直進プレート６５により回転が規制されているため、カム筒６１が回転すると光軸方向へ直進移動しながら繰り出される。
【００２８】
カム筒６１にカム係合している１群鏡筒１１、２群鏡筒２１、３群鏡筒３１は、カム筒６１と直進筒６２の作用により光軸方向に直進移動しながら繰り出される。
【００２９】
また４群鏡筒４１は、フォーカスモータ４３に設けられたナット４４とスクリューの作用により光軸方向へ移動可能な状態で保持されるとともに、メインガイド軸４５、サブガイド軸４６により回転規制されており、カム筒６１の移動とは関係なく独立して光軸方向へ進退動作を行う。
【００３０】
以上の構成により、回転筒６４が回転することで、各レンズ群が沈動位置から被写体側に向けて繰り出すことで、鏡筒が沈動状態から撮影状態へと移行する。
【００３１】
なお、レンズ鏡筒は、カム筒６１、回転筒６４、固定筒６７の作用により、適宜相互間の距離が調整されてズーミング動作が行われる。
【００３２】
以上のようなレンズ鏡筒では部材相互間の摺動により動作が行われているため、各部材間には適度な隙間が必要となる。ところが外部からは隙間を通過して光線が進入することとなるため、部品相互間の隙間を少なくして光線の進入を防ぐことが重要である。この相反する要求を満たすために従来より隙間を塞ぐように遮光部材を用いて漏れ光線を遮断することが行われてきた。本実施例では、回転筒６４と固定筒６７の間からの漏れ光線が撮影画像に悪影響を及ぼすため、前述のように遮光部材５１を固定筒６７の先端部、つまり被写体側に配置している。
【００３３】
次にこの遮光部材５１について図３により説明する。図は遮光部材５１を表す斜視図である。
【００３４】
遮光部材５１は以下の様な部材から構成されている。５１ａは柔軟性に優れた発泡体などのリング状の遮光シートである。また、遮光シート５１ａには周方向１２０度等分で３箇所の凸部５１ｂが形成されており、それぞれに係合孔５１ｃが設けられている。係合孔５１ｃが係合部を構成する。遮光シート５１ａの内径寸法は遮光性を高めることを目的として回転筒６４の外径よりも小さく設定されている。したがって、遮光シート５１ａは回転筒６４に対して組みこまれた状態ではチャージした状態を保っている。また、遮光部材５１は、固定筒６７の先端部を覆う化粧リング６６と固定筒６７の間の空間に配設している。遮光シート５１ａは前述の空間が広すぎると遮光シート５１ａが光軸方向に暴れてしまい、回転筒６４の移動に追従してレンズ鏡筒外部に引き出されてしまう。また、化粧リング６６で遮光部材５１をチャージするように挟み込んだり、固定筒６７に対して両面テープや接着剤で固定する方法もあるが、遮光部材５１の貼りずれや回転筒６４の嵌合ガタ等の偏心により回転筒６４へのチャージ量が不均一となってしまい、チャージ量の少ない部分では光線漏れを防ぐことができなくなってしまう。このような課題を解決するため、本実施例の構成を以下に説明する。
【００３５】
図４は遮光部材５１の係止部分の拡大断面図である。
【００３６】
６７ａは固定筒６７に設けられた係止部、６７ｂは係止爪であり、１２０度等分で３箇所設けられている。遮光部材５１の係合孔５１ｃは固定筒６７の係止部６７ａに対して係合可能とされており、光軸と直交する平面に移動可能なだけのクリアランスが確保されている。具体的には、遮光部材５１の凸部５１ｂの内径部と固定筒６７の外周部との間の隙間Δｄは、回転筒６４と固定筒６７の間の偏心ガタ以上のクリアランス（移動可能量）が設定されている。このため、固定筒６７に対して回転筒６４が偏心あるいは倒れを生じた場合、偏心部分においては一時的に遮光部材５１の摺動摩擦力は増加するが、遮光部材５１は光軸と直交する方向には移動可能に設置されているため、回転筒６４の偏心に追従するように移動する。これにより遮光部材５１と回転筒６４とのチャージ量を一定に保つことができるため、遮光性を高めることが可能となっている。
【００３７】
本実施例では、遮光部材５１の固定には接着剤や両面テープを使っていないためレンズ鏡筒の組立て性が向上している。また、遮光部材５１を接着剤等で固定する場合と比べて光軸と直交する平面への移動が容易となったため、回転筒６４の偏心や倒れに伴う遮光部材５１の追従性が向上し、遮光性を高めることを可能にしている。一方で、遮光部材５１が移動し易くなったことにより、遮光部材５１の係合孔５１ｃが固定筒６７の係止部６７ａから係合が外れることが懸念されるが、本実施例では、固定筒６７の係止部６７ａの先端に遮光部材５１が外れることを防止する為の係止爪６７ｂが設けられ、遮光部材５１が光軸方向に持ち上げられてもレンズ鏡筒外部に引き出されてしまうことを防止している。
【００３８】
以上、本発明の好ましい実施例について説明したが、本発明はこれらの実施例に限定されず、その要旨の範囲内で種々の変形及び変更が可能である。
【００３９】
例えば、固定筒６７の係止部６７ａ、遮光部材５１の係合孔５１ｃの数は、本実施例のものに限定されるものではなく、１つ若しくは２つ、或いは４つ以上設ける構成とすることもできる。
【００４０】
以上、本実施例は、回転筒６４（第１鏡筒）の偏心に因らず、より簡単な構成で遮光性を高めることができる。
【符号の説明】
【００４１】
６４  回転筒（第１鏡筒）
６７  固定筒（第２鏡筒）
６７ａ  係止部
６７ｂ  係止爪
５１  遮光部材
５１ｃ  係合孔
【図１】
2014170060.tif 000003
【図２】
2014170060.tif 000004
【図３】
2014170060.tif 000005
【図４】
2014170060.tif 000006